(57)【要約】【課題】半導体チップの内部配線等に影響を与えることなく、しかも熱応力が繰り返し加わった場合や外部から衝撃等が加わった場合でも、基板と半導体チップとの間の電気的導通に支障が生じない電子回路装置を提供する。【解決手段】配線基板１１のうち、半導体チップ２１が載置される位置の周囲で、かつ半導体チップ２１に設けられ複数の電極パッド２２に対応する位置にランド１２を形成する。このランド１２上に金属ワイヤーが突き出した形状のバンプ１３を形成する。半導体チップ２１の各電極パッド２２とランド１２上に形成された各バンプ１３の金属ワイヤー１３ｂに導電性ペースト１４を塗布した後、この導電性ペースト１４を加熱硬化して電気的な接続を行う。【選択図】図１
2008244213.tif 000002
【特許請求の範囲】
【請求項１】
一方の面の端部に複数の電極パッドが形成された半導体チップと、
少なくとも一方の面に前記半導体チップが載置され、かつ前記半導体チップが載置される位置の周囲で、前記複数の電極パッドに対応する位置に複数の電極が形成された配線基板と、
可撓性を有し、前記配線基板の複数の電極および前記半導体チップの複数の電極パッド間を電気的に接続する少なくとも１つの導電性構造体とを備え、
前記導電性構造体が前記配線基板の複数の電極に対応する位置に配置されると共に、少なくとも前記導電性構造体と前記電極パッドが導電性材料で接続されてなる電子回路装置。
【請求項２】
前記導電性構造体は、前記配線基板の各電極上に形成された、金属のワイヤが突き出したバンプで構成されている請求項１に記載の電子回路装置。
【請求項３】
前記半導体チップの電極パッドと前記バンプのワイヤとの間が前記導電性材料で接続され、かつ前記導電性材料は前記バンプが形成された前記配線基板の電極との間に空間を隔てて保持されている請求項２に記載の電子回路装置。
【請求項４】
前記導電性構造体は、前記配線基板の電極上に配置された導電性のボールで構成されている請求項１に記載の電子回路装置。
【請求項５】
前記導電性構造体は、一定の方向にのみ電気的な導通が可能なシートで構成され、かつ前記配線基板には前記シートを通す穴が形成されている請求項１に記載の電子回路装置。
【請求項６】
前記シートは、一定の方向に複数の配線が形成された配線基板の表面に異方性の導電性材料の層が形成されたもので構成されている請求項５に記載の電子回路装置。
【請求項７】
前記導電性材料は導電性ペーストである請求項１〜６のいずれかに記載の電子回路装置。
【請求項８】
前記導電性材料ははんだである請求項１〜６のいずれかに記載の電子回路装置。
【請求項９】
前記半導体チップは、前記配線基板に接着材を用いて固定されている請求項１に記載の電子回路装置。
【請求項１０】
前記接着剤として導電性シート、導電性ペーストおよび絶縁性樹脂のいずれかを用いる請求項９に記載の電子回路装置。
【請求項１１】
前記半導体チップおよび前記導電性構造体は絶縁性樹脂で封止されている請求項１に記載の電子回路装置。
【請求項１２】
前記配線基板には少なくとも１層以上の配線が形成されている請求項１に記載の電子回路装置。
【請求項１３】
前記配線基板は部品を内蔵している請求項１に記載の電子回路装置。
【請求項１４】
前記配線基板は、基材がエポキシ樹脂、アラミド樹脂およびポリイミドから選ばれた１種類の樹脂によって構成されている請求項１に記載の電子回路装置。
【請求項１５】
前記配線基板の電極は、Ｎｉメッキ処理もしくは、Ｎｉ＋Ａｕメッキ処理されたパッドを有する請求項１記載の電子回路装置。
【発明の詳細な説明】
【技術分野】
【０００１】
本発明は、プリント基板等の配線基板上に、表面に電子回路が形成された半導体チップを実装した電子回路装置に関する。
【背景技術】
【０００２】
近年、電子機器の小型化が進み、この電子機器に実装される電子回路装置も急速に小型化が進んでいる。このため、配線基板上に半導体チップが実装された電子回路装置では、半導体チップのパッケージに代えてベアチップが実装され、実装面積の大幅縮小化が実現されている。
【０００３】
半導体チップを実装する場合、一般的には、配線基板上に半導体チップを実装した後、基板の配線パターンと半導体チップの電極間をワイヤーでボンディングする構造が採られている。しかし、ワイヤーボンディング方式を採用した場合、基板の配線パターンおよび半導体チップの電極の最小ピッチに物理的な限界があることから、実装面積を縮小するという点で限界があった。
【０００４】
また、伝送される信号の周波数が高くなる傾向にあるが、ワイヤーボンディング方式を採用した場合、基板の配線パターンと半導体チップの電極間の配線距離が長くなることから抵抗値が高くなる。結果として、伝送周波数の高周波化に十分対応できないという問題があった。
【０００５】
更に、ワイヤーボンディング方式を採用した場合、キャピラリの先端に保持された金属ボールを半導体チップの電極面に押し付け、熱と超音波振動を与えることによって電極と結合させている。しかし、半導体チップの高集積化に伴い、荷重や振動によって半導体チップが受ける影響を無視できなくなってきた。具体的には、荷重や振動によって絶縁膜の亀裂や界面剥離などのダメージが生じ、半導体チップの内部に形成された配線や回路に悪影響を及ぼすようになってきた。
【０００６】
このようなワイヤーボンディング方式の問題を解決するため、ワイヤーを用いない半導体チップの実装方法が提案されている。
【０００７】
図９に特許文献１の実施の形態１に記載された電子回路装置の断面を示す。電子回路装置７１は、配線パターン７２が形成された配線基板（以下、単に基板という）７３の表面に、電子回路（図示せず）および電極パッド部７４が形成された半導体チップ７５が、電極面が上になるように載置されている。なお、電極パッド部７４は、半導体チップ７５の端縁面に露出するように形成されている。
【０００８】
半導体チップ７５は、電子回路が形成されたウエハをダイシングして得られた非常に薄い（１５０μｍ程度）チップである。半導体チップ７５の両側縁部に電極パッド部７４が形成されている。基板７３の両側に形成された導体パターン７２と半導体チップ７５の両側縁部に形成された電極パッド部７４は、塊状の金製バンプ７６により電気的に接続されている。
【特許文献１】特開２００６−１７３２１４号公報
【発明の開示】
【発明が解決しようとする課題】
【０００９】
図９に示した従来の電子回路装置７１は、半導体チップ７５の電極パッド部７４と基板７３の導体パターン７２をバンプ７６で接続することによって、電極間の距離の短縮化を図っている。この従来の電子回路装置７１は、ワイヤーボンディング方式を採用した電子回路装置に比べ、実装面積の縮小化および高周波特性の両面で優れている。
【００１０】
しかし、バンプ７６によって半導体チップ７５の電極パッド部７４と基板７３の導体パターン２を接続する際に、バンプ７５に熱および超音波を加えて拡散接合を行っており、荷重および振動が半導体チップ７５の内部に与える影響を無視できない。
【００１１】
特許文献１の実施の形態２には、ワイヤーを用いない他の方法として、バンプ７６の代わりに導電性ペーストを用いて、基板１１のランド１２と半導体チップ２１の電極パッド２２の間の電気的な接続を行う技術が開示されている。この技術によれば、製造工程において半導体チップに荷重や振動が加わらないため、半導体チップ内部に形成された配線等が断線したり、電子回路に悪影響を及ぼす恐れはない。
【００１２】
しかし、その反面、導電性ペーストの有する脆弱性から、基板、半導体チップおよび導電性ペーストの熱膨張率の違いにより熱応力が繰り返し加わった場合に、電極との結合面で剥離や亀裂が生じやすい。同様に、外部から衝撃や曲げ応力が加わった場合にも、電極との結合面で剥離や亀裂が生じやすい。
【００１３】
このように基板の導体パターンと半導体チップの電極パッド間を導電性ペーストを用いて直接接続した場合、熱応力や外部からの衝撃等によって電極との結合面で剥離や亀裂が生じやすくなり、最悪の場合、断線して電気的な導通が得られなくなる。
【００１４】
本発明はこのような従来の問題点を解決し、半導体チップの内部配線等に影響を与えることなく、しかも熱応力や外部から衝撃等が加わった場合でも、基板と半導体チップ間の電気的導通に支障を生じない電子回路装置を提供することを目的とする。
【課題を解決するための手段】
【００１５】
上記目的を達成するため、本発明に係る電子回路装置は、
一方の面の端部に複数の電極パッドが形成された半導体チップと、
少なくとも一方の面に前記半導体チップが載置され、かつ前記半導体チップが載置される位置の周囲で、前記複数の電極パッドに対応する位置に複数の電極が形成された配線基板と、
可撓性を有し、前記配線基板の複数の電極および前記半導体チップの複数の電極パッド間を電気的に接続する少なくとも１つの導電性構造体とを備え、
前記導電性構造体が前記配線基板の複数の電極に対応する位置に配置されると共に、少なくとも前記導電性構造体と前記電極パッドが導電性材料で接続されてなるものである。
【００１６】
ここで、前記導電性構造体は、前記配線基板の各電極上に形成された、金属のワイヤが突き出したバンプで構成されていることが好ましい。また前記半導体チップの電極パッドと前記バンプのワイヤとの間が前記導電性材料で接続され、かつ前記導電性材料は前記バンプが形成された前記配線基板の電極との間に空間を隔てて保持されていることが好ましい。
【００１７】
前記導電性構造体は、前記配線基板の電極上に配置された導電性のボールで構成されていてもよい。また前記導電性構造体は、一定の方向にのみ電気的な導通が可能なシートで構成され、かつ前記配線基板には前記シートを通す穴が形成されているものであってもよい。更に前記シートは、一定の方向に複数の配線が形成された配線基板の表面に異方性の導電性材料の層が形成されたもので構成されていてもよい。
【００１８】
前記導電性材料は導電性ペーストもしくははんだであることが好ましい。また前記半導体チップは、前記配線基板に接着材を用いて固定されていることが好ましい。更に前記接着剤として導電性シート、導電性ペーストおよび絶縁性樹脂のいずれかを用いることが好ましい。
【００１９】
なお、前記半導体チップおよび前記導電性構造体は絶縁性樹脂で封止されていてもよい。また前記配線基板には少なくとも１層以上の配線が形成されていてもよく、部品を内蔵していてもよい。
【００２０】
前記配線基板は、基材がエポキシ樹脂、アラミド樹脂およびポリイミドから選ばれた１種類の樹脂によって構成されていることが好ましい。また前記配線基板の電極は、Ｎｉメッキ処理もしくは、Ｎｉ＋Ａｕメッキ処理されたパッドを有することが好ましい。
【発明の効果】
【００２１】
本発明に係る電子回路装置は、製造工程において半導体チップ２１に荷重や振動が加わらないため、半導体チップ内部に形成された配線が断線したり、回路に悪影響を及ぼす恐れがない。さらに、熱応力が繰り返し加わったり、外部から衝撃や曲げ応力が加わった場合でも、基板と半導体チップ間の電気的導通を確保できる。
【発明を実施するための最良の形態】
【００２２】
（実施の形態１）
図１（Ａ）および（Ｂ）に、本発明の実施の形態１に係る電子回路装置の斜視図およびＡ−Ａ‘線の断面図を示す。
【００２３】
本実施の形態に係る電子回路装置１０Ａは、導体パターン（図示せず）が形成された基板１１の上に、半導体チップ２１が載置されている。一般に基板１１の材料として、エポキシ樹脂、アラミド樹脂およびポリイミドのいずれかが用いられる。また、基板１１は、通常、内部に多層の配線が形成されており、また電子部品が内蔵されているものもある。
【００２４】
半導体チップ２１はダイボンディングシートや導電性ペースト、絶縁性接着剤を用いて基板１１に固定されている。ダイボンディングシートや導電性ペーストを用いた場合、絶縁性接着剤を用いた場合に比べて熱伝導性が良く、半導体チップ２１で発生する熱の放散に優れている。
【００２５】
半導体チップ２１の上面の４つの側縁部には電極パッド２２が等間隔に形成されている。また電極パッド２２の端面は、半導体チップ２１の端縁面に露出するように形成されている。
【００２６】
基板１１に形成された配線パターンのうち半導体チップ２１の電極パッド２２に対向する位置には電極となるランド１２が形成され、各ランド１２にはバンプ１３が設けられている。ランド１３は後述するようにワイヤーボンダーを用いて造られるが、通常、塊状の金属の上部にワイヤーが突き出した形状をしている。
【００２７】
半導体チップ２１の電極パッド２２と、これに対向する基板１１上のバンプ１３は、導電性ペースト１４で接続されている。半導体チップ２１は基板１１上に載置されているため、電極パッド２２とランド１２の間には段差が生じるが、導電性ペースト１４を電極パッド２２とバンプのワイヤーの両方につながるように塗布することで、簡単に電気的な接続ができる。
【００２８】
次に、図２および図３を参照して本実施の形態に係る電子回路装置の製造工程について説明する。なお、図中、図１に記載された構成部品と同一の機能を有する部品には同一の符号を付して説明を省略する。以後の図面においても同様とする。
【００２９】
最初に、図２に基づいて半導体チップ２１の製造工程について説明する。図２（Ａ）に示す、一方の面に電極パッドが形成されたベアチップ２０を用意する。次に、このチップ２０の周辺部のうち、一点鎖線で示す電極パッド２２を含む部分をダイサーでカットし、図２（Ｂ）の平面図および図２（Ｃ）の側面図に示す形状の半導体チップ２１を作成する。図２（Ｂ）から分かるように、半導体チップ２１の４辺のそれぞれの側縁部に電極パッド２２が形成されている。
【００３０】
ベアチップ２０として、ワイヤーボンディング方式によって基板との接続を行う汎用のベアチップを用意し、その周辺部をダイサーで切断すれば、本実施の形態で用いる半導体チップ２１を製造することができる。このように汎用のベアチップを使用することによって、電子回路装置を製造する際のコスト上昇を抑えることができる。
【００３１】
次に、図３を参照して電子回路装置の製造工程について説明する。図３（Ａ）に示すように、最初に、バンプ用のランド１２を含む配線パターン（図示せず）が上面に形成された基板１１の上に、ダイボンディングシート１６を敷く。そしてダイボンディングシート１６の上に、図２に示した半導体チップ２１を、電極パッド２２が上向きとなる状態で載置し、固定する。この際、半導体チップ２１の各電極パッド２２が基板上に形成されたランド１２と対向するように配置する。
【００３２】
次に、図３（Ｂ）に示すように、キャピラリ３１を用いて各ランド１２上に接続用の構造体であるバンプを形成する。具体的には、まず筒状のキャピラリ３１より金属ワイヤー３２を引き出し、キャピラリ３１の上部に取り付けられた図示しないクランパ機構によって金属ワイヤー３２を保持した状態で、図示しない放電トーチ手段を用いて金属ワイヤーの先端を加熱し、金属ボール３２ａを形成する。
【００３３】
次に、図３（Ｃ）に示すように、キャピラリ３１によって金属ボール３２ａを基板１１上のバンプ用ランド１２に押し付け、超音波振動を与えることによって、金属ボール３２ａを変形させながらランド１２に結合させる。金属ワイヤー３２を保持しながらキャピラリ３１を引き上げ、金属ワイヤー３２がキャピラリ３１から若干引き出された状態において、放電トーチ手段等によって金属ワイヤー１３を加熱すると共に、図示しないクランパ機構によって金属ワイヤー３２を保持した状態で引き上げて、金属ワイヤー３２を引きちぎる。その結果、ランド上には、金属球がつぶれたベース１３ａから金属ワイヤー１３ｂが突き出た形状のバンプ１３が形成される。
【００３４】
次に、図３（Ｄ）に示すように、図示しないディスペンサを用いて半導体チップ２１の電極パッド２２とバンプ１３の金属ワイヤー１３ｂの間に導電性ペースト１４を塗布する。全ての電極パッド２２と金属ワイヤー１３ｂの間に導電性ペースト１４が塗布された後、加熱炉等によって導電性ペースト１４を加熱硬化させる。このようにして半導体チップ２１と基板との間の電気的な接続が行われる。
【００３５】
導電性ペースト１４としては、一般的に使用される銀ペースト等を用いることができるが、粘度が低いと、加熱した際にランド１２上にたれて電極パッド２２との間の電気的な接続がうまく行われないため、加熱時にたれない程度の粘度に調整する必要がある。なお図示はしないが、導電性ペースト１４を加熱硬化させた後、基板１１上の半導体チップ２１とバンプ１４を絶縁性樹脂で封止しても良い。絶縁性樹脂で封止することによって耐湿性を向上させることができる。
【００３６】
前述したように、半導体チップの薄型化やＬｏｗ−Ｋの使用に伴って、低荷重実装の要求が高まっているが、本実施の形態では、接続用のバンプ１３を形成する際に半導体チップ２１には荷重や振動が加わらない。半導体チップ２１と基板１１上の配線との間の電気的な接続は、ランド１２上に形成されたバンプ１３の金属ワイヤー１３ｂと半導体チップ２１の電極パッド２２との間に塗布された導電性ペースト１４によって行われる。従って、半導体チップ２１には、製造工程中荷重や振動が加わらないため、半導体チップ内部に形成された配線等が断線する恐れがない。
【００３７】
また本実施の形態の電子回路装置では、ワイヤーボンディング方式に比較しアームがない分実装面積を小さくでき、配線エリアを多く確保できる。更にワイヤーボンディング方式に比較し、基板上のバンプ１３と半導体チップ２１の金属パッド２２との間の距離を短くできるため、伝送信号の周波数が高くなった場合でも、良好な電気特性を維持できる。
【００３８】
また本実施の形態では、バンプ１３から突き出したワイヤー１３ｂと電極パッド２２との間を導電性ペースト１４で接続しており、導電性ペースト１４がランド１２から空間を隔てて浮いた状態にある。このため、熱応力が繰り返し加わったり、外部から衝撃や曲げ応力が加わった場合でも、ワイヤー１３ｂの可撓性によって熱応力や衝撃等を吸収できる。このため、導電性ペーストを用いて直接、基板上の電極と半導体チップの電極パッドを接続する場合に比べ、電気的導通の信頼性が高い。
【００３９】
更に、半導体チップ２１を基板１１に固定するのにダイボンディングシート１６を用いているため、半導体チップ２１で発生した熱を、ダイボンディングシート１６を介して基板１１に逃がすことができる。
【００４０】
なお本実施の形態では、電極パッド２２とバンプ１３の間に導電性ペースト１４を塗布した後、これを過熱硬化したが、この方法に限定されず、半田等の導電性材料を用いても同様の効果が得られる。またランド１２上にＮｉメッキもしくはＮｉ＋Ａｕメッキ処理されたパッドを設ければ、バンプ１３との接合強度を増加させることができる。
【００４１】
図４に、このようにして製造された電子回路装置１０Ａを、他の電子回路と共にマザー基板上に積層して配置した三次元電子回路装置１００Ａの例を示す。電子回路装置１０Ａは、半導体チップ１１を載置した面が下を向くように配置されている。電子回路装置１０Ａの基板２１の周辺部には複数の半田ボール４２が配置され、この半田ボール４２を介して電子回路装置１０Ａはマザー基板４１上に一定の間隔を隔てて固定されている。
【００４２】
電子回路装置１０Ａの基板１１の上面に形成された配線上には、市販のパッケージメモリ等の電子回路モジュール４３が半田４４を介して実装され、またそれ以外の電子部品１５も実装されている。図４に示す配置の場合、リフローによって半田ボール４２および半田４４を溶かした場合、半導体チップ２１は加熱硬化した導電性ペースト１４によって基板１１に固定されているため、半導体チップ２１が基板１１から外れることはない。
【００４３】
このように本実施の形態の電子回路装置１０Ａと他の電子回路モジュール４３をマザー基板４１上に立体的に配置して三次元の電子回路装置１００Ａを構成することにより、電子回路の実装密度を高めることができる。
【００４４】
なお、電子回路装置１０Ａをマザー基板４１上に固定する際に行われる半田ボールの設置は、公知の製造装置を用いて容易に実現できるため、詳細な説明は省略する。
【００４５】
（実施の形態２）
図５に本発明の実施の形態２に係る電子回路装置１０Ｂの要部断面を示す。以後の説明においては、図１〜図３を用いて説明した実施の形態１に係る電子回路装置１０Ａと相違する点を中心に説明する。
【００４６】
本実施の形態では、基板１１と半導体チップ２１との間の電気的接続に用いる構造体として導電性のボール５１を用いている。実施の形態１のバンプ１３をランド１２上に形成する代わりに、キャピラリを用いて導電性ボール５１をランド１２に載置し、その導電性ボール５１を介し、ランド１２と半導体チップ２１の電極パッド２２間の電気的接続を行う。
【００４７】
電子回路装置１０Ｂの製造工程について説明する。基板１１上に載置される半導体チップ２１の製造および半導体チップ２１の基板１１への固定については、実施の形態１で説明した方法と同様の方法で行う。導電性ボール５１をランド１２上に載置する前に、ディスペンサを用いてランド１２上および電極パッド２２の上面から側面にかけて導電性ペーストを塗布する。その後、図示しないキャピラリを用いて導電性ボール５１を、ランド１２上および電極パッド上に塗布された導電性ペーストに接するように載置する。その後、加熱炉等によって導電性ペースト５２を加熱硬化すれば、基板１１と半導体チップ２１間の電気的な接続が実現する。
【００４８】
電子回路装置１０Ｂも、前述した電子回路装置１０Ａと同様に、半導体チップ２１には、製造工程中に荷重や振動が加わらないため、半導体チップ内部に形成された配線等に悪影響を及ぼす恐れがない。またワイヤーボンディング方式に比較し、実装面積を小さくできると共に、電気的特性の向上を図ることができる。
【００４９】
またランド１２と導電性ボール５１の間、および導電性ボール５１と電極パッド２２の間を導電性ペーストで接続することにより、ランド１２と電極パッド２２を直接導電性ペーストで接続する場合に比べ、熱応力や外部からの衝撃に対して強くなり、実施の形態１のバンプと同様の効果が得られる。
【００５０】
なお本実施の形態では、導電性ボール５１をランド１２上に正確に位置決めして載置する必要があるが、一般的に使用されているキャピラリを用いれば、必要とされる位置決めの精度を確保することは容易である。
【００５１】
図６に、本実施の形態に係る電子回路装置１０Ｂを他の電子回路と共に、マザー基板上に積層して三次元電子回路装置１００Ｂを構成した例を示す。前述した電子回路装置１０Ａと同様に、電子回路装置１０Ｂは、半導体チップ１１を載置した面が下を向くように配置されている。電子回路装置１０Ｂの基板２１の周辺部には複数の半田ボール４２が配置され、この半田ボール４２を介して電子回路装置１０Ｂはマザー基板５１上に一定の間隔を隔てて固定されている。
【００５２】
このように本実施の形態の電子回路装置１０Ｂと他の電子回路モジュール４３をマザー基板４１上に積層して立体的に配置することにより、電子回路の実装密度を高めることができる。
【００５３】
（実施の形態３）
図７（Ａ）および（Ｂ）に、本発明の実施の形態３に係る電子回路装置１０Ｃの平面図およびＢ−Ｂ‘線の断面図を示す。本実施の形態では、導電性構造体として図７（Ｃ）に示す配線電極６１を用いている。配線電極６１は、フレキシブル配線基板上に一定方向の細い配線６３を等間隔に複数形成し、更に配線が形成された面に異方性の導電材料を塗布したものである。配線電極６３は、一定方向（図では上下方向）には電気的な導通があるが、それ以外の方向では電気的な導通がない。
【００５４】
本実施の形態では、基板上のランド６３を、基板１１の載置された半導体チップ２１が載置された面と異なる下面側に形成すると共に、基板１１に配線電極６１を通す穴６４を設けている。図示しないディスペンサを用いて、半導体チップの電極パッド２２および基板上のランド６３の上面および側面に導電性ペーストを塗布した後、配線電極６１を、配線側が電極パッド２２およびランド６３に接するように置く。その状態で、加熱炉を用いて導電性ペーストを加熱硬化させることにより、配線電極６１を基板１１および半導体チップ２１に固定する。
【００５５】
上述したように配線電極６１は一定方向しか電気的な導通がなく、図７（Ａ）、（Ｂ）に示した例では、基板１１上のランド６３と、このランド６３に対応する位置にある半導体チップ２１上の電極パッド２２間においてのみ電気的に接続される。
【００５６】
電子回路装置１０Ｃも、前述した電子回路装置１０Ａおよび１０Ｂと同様に、半導体チップ２１には、製造工程中に荷重や振動が加わらないため、半導体チップ内部に形成された配線等に悪影響を及ぼす恐れはない。また実装面積を小さくできると共に、電気的特性の向上を図ることができる。
【００５７】
またランド６３と電極パッド２２の間を、フレキシブル配線基板で作られた配線電極６１を介して導電性ペースト５２で接続している。このため、ランド１２と電極パッド２２を直接導電性ペーストで接続する場合に比べ、熱応力や外部からの衝撃に対して強くなり、実施の形態１のランドと同様の効果が得られる。
【００５８】
図８に、本実施の形態に係る電子回路装置１０Ｃを、他の電子回路と共に、マザー基板上に積層して三次元の電子回路装置１００Ｃを構成した例を示す。前述した電子回路装置１０Ａ、１０Ｂと同様に、電子回路装置１０Ｃと他の電子回路モジュール４３をマザー基板４１上に積層して立体的に配置することにより、電子回路の実装密度を高めることができる。
【００５９】
以上、図面を参照して本発明を実施するための最適な形態について説明したが、本発明の適用範囲はこれに限定されるものではなく、当業者であれば容易に到達しうる形態についても本発明の範囲に属することは明らかである。
【産業上の利用可能性】
【００６０】
本発明に係る電子回路装置は、携帯電話機をはじめとして、実装構造のさらなる小型化が要求される各種のモバイル機器に広く利用できる。
【図面の簡単な説明】
【００６１】
【図１】本発明の実施の形態１に係る電子回路装置の構成を示す斜視図および断面図
【図２】図１の半導体チップの製造工程を説明する図
【図３】図１の電子回路装置の製造工程を説明する要部断面図
【図４】図１の電子回路装置を含む三次元電子回路装置の概略構成を示す側面図
【図５】本発明の実施の形態２に係る電子回路装置の構成を示す要部断面図
【図６】図５の電子回路装置を含む三次元電子回路装置の概略構成を示す側面図
【図７】本発明の実施の形態３に係る電子回路装置の構成を示す図
【図８】図７の電子回路装置を含む三次元電子回路装置の概略構成を示す側面図
【図９】従来の電子回路装置の構成を示す図
【符号の説明】
【００６２】
１０Ａ，１０Ｂ，１０Ｃ  電子回路装置
１１  基板
１２、６３  ランド
１３  バンプ
１４、５２  導電性ペースト
１５  電子部品
１６  ダイボンディングシート
２１  半導体チップ
２２  電極パッド
４１  マザー基板
４２  半田ボール
４３  電子回路モジュール
４４  半田
５１  導電性ボール
６１  配線電極
６２  配線
６４  穴
１００Ａ、１００Ｂ、１００Ｃ  三次元電子回路装置
【図１】
2008244213.tif 000003
【図２】
2008244213.tif 000004
【図３】
2008244213.tif 000005
【図４】
2008244213.tif 000006
【図５】
2008244213.tif 000007
【図６】
2008244213.tif 000008
【図７】
2008244213.tif 000009
【図８】
2008244213.tif 000010
【図９】
2008244213.tif 000011